(57)【要約】【課題】本発明は、商用系統電源が停電した場合において重要度が高い機器の使用可能時間を長くすることが可能な蓄電システムを提供することを目的とする。【解決手段】本発明による蓄電システムは、商用系統電源１から供給された電力を蓄積する蓄電要素２と、商用系統電源１および蓄電要素２のうちの少なくとも一方から電力が供給され、かつ商用系統電源１が停電したときは蓄電要素２から電力が供給される、電力供給を個別に制御可能な、停電時に電力供給が可能な出力部である複数の重要負荷出力部１８〜２０と、商用系統電源１および蓄電要素２のうちの少なくとも一方から各重要負荷出力部１８〜２０への電力の供給を個別に制御する制御部２７とを備える。【選択図】図１
2016163422.tif 000002
【特許請求の範囲】
【請求項１】
商用系統電源から供給された電力を蓄積する蓄電要素と、
前記商用系統電源および前記蓄電要素のうちの少なくとも一方から前記電力が供給され、かつ前記商用系統電源が停電したときは前記蓄電要素から前記電力が供給される、電力供給を個別に制御可能な、停電時に電力供給が可能な出力部である複数の重要負荷出力部と、
前記商用系統電源および前記蓄電要素のうちの少なくとも一方から各前記重要負荷出力部への前記電力の供給を個別に制御する制御部と、
を備える、蓄電システム。
【請求項２】
前記蓄電要素に蓄積されている前記電力の残量を検出する蓄電残量検出部をさらに備え、
前記商用系統電源が停電した場合において、前記制御部は、前記蓄電残量検出部にて検出された前記残量と、予め定められた電力供給条件とに基づいて、各前記重要負荷出力部への前記電力の供給を個別に制御することを特徴とする、請求項１に記載の蓄電システム。
【請求項３】
前記予め定められた電力供給条件は、各前記重要負荷出力部に接続されるべき重要負荷ごとに予め設定された、前記蓄電要素に蓄積されている前記電力の残量の閾値であることを特徴とする、請求項２に記載の蓄電システム。
【請求項４】
前記蓄電要素から各前記重要負荷出力部に流れる電流を検出する電流検出器と、
情報を表示する表示部と、
をさらに備え、
前記制御部は、前記電流検出器にて検出された前記電流の値と、前記蓄電残量検出部にて検出された前記残量と、前記予め定められた電力供給条件とに基づいて、前記蓄電要素から各前記重要負荷出力部に前記電力を供給することが可能な時間である電力供給可能時間を算出し、
前記表示部は、前記制御部にて算出された前記電力供給可能時間を表示することを特徴とする、請求項２または３に記載の蓄電システム。
【請求項５】
前記商用系統電源が停電した場合において、前記制御部は、操作部よりユーザーが選択した少なくとも１つ以上の前記重要負荷出力部への前記電力の供給を制御することを特徴とする、請求項１に記載の蓄電システム。
【請求項６】
前記制御部は、各前記重要負荷出力部への前記電力の供給を自動または手動で行うかの切り換えが可能であることを特徴とする、請求項１に記載の蓄電システム。
【発明の詳細な説明】
【技術分野】
【０００１】
本発明は、商用系統電源から供給された電力を充電し、当該充電した電力を負荷に供給する蓄電システムに関する。
【背景技術】
【０００２】
従来、電気料金が安価な夜間の時間帯に商用系統電源から供給される電力を蓄電要素に充電（蓄積）しておき、電気料金が通常である昼間の時間帯に蓄電要素に充電しておいた電力を使用することによって、経済的な効果を実現した蓄電システムが知られている。このような蓄電システムでは、配電の不具合等によって商用系統電源が停電した場合において、蓄電要素に充電しておいた電力を最低限必要な重要負荷のみに供給することができるように構成されていることが一般的である（例えば、特許文献１参照）。ここで、重要負荷とは、商用系統電源が停電した場合でも電力の供給が必要な機器が接続される負荷のことをいう。重要負荷に接続される機器としては、例えば、通信機器、携帯電話充電器、冷蔵庫などが挙げられる。
【０００３】
上記の一般的な蓄電システムでは、充電時において、商用系統電源からの交流電力は、一般負荷および重要負荷に供給されるとともに、パワーコンディショナに入力される。パワーコンディショナに入力された交流電力は、当該パワーコンディショナ内で交流／直流変換され、直流変換された電力は蓄電要素に充電される。また、通常の放電時において、蓄電要素に充電された直流電力は、パワーコンディショナに入力されて当該パワーコンディショナ内で直流／交流変換され、交流変換された電力は一般負荷および重要負荷に供給される。ここで、一般負荷とは、商用系統電源が停電した場合に電力の供給が不要な機器が接続される負荷のことをいう。また、上記の「通常」とは、商用系統電源が停電していないときのことをいう。
【０００４】
一方、停電時において、パワーコンディショナは、商用系統電源からの交流電力の供給が遮断されたことを検出して速やかに放電動作（自立放電）に移行し、蓄電要素に充電された電力を重要負荷のみに供給する。
【先行技術文献】
【特許文献】
【０００５】
【特許文献１】特開２０１４−７８２８号公報
【発明の概要】
【発明が解決しようとする課題】
【０００６】
上記の蓄電システム（例えば、特許文献１）では、重要負荷が一系列しかないため、蓄電要素に充電された電力を重要負荷に供給（放電）する場合において、蓄電要素に充電されている電力が尽きると、重要負荷に接続されている機器が一斉に使用不可になってしまう。従って、商用系統電源が停電した場合において、できるだけ長時間使用したい機器（例えば携帯電話充電器など、停電時における使用の重要度が高い機器）の使用可能時間が、重要度が比較的低い他の機器（停電時における使用の重要度が低い機器）の影響（重要度が比較的低い他の機器に電力が供給されることによる影響）を受けて短縮されてしまうという問題がある。
【０００７】
本発明は、このような問題を解決するためになされたものであり、商用系統電源が停電した場合において重要度が高い機器の使用可能時間を長くすることが可能な蓄電システムを提供することを目的とする。
【課題を解決するための手段】
【０００８】
上記の課題を解決するために、本発明による蓄電システムは、商用系統電源から供給された電力を蓄積する蓄電要素と、商用系統電源および蓄電要素のうちの少なくとも一方から電力が供給され、かつ商用系統電源が停電したときは蓄電要素から電力が供給される、電力供給を個別に制御可能な、停電時に電力供給が可能な出力部である複数の重要負荷出力部と、商用系統電源および蓄電要素のうちの少なくとも一方から各重要負荷出力部への電力の供給を個別に制御する制御部とを備える。
【発明の効果】
【０００９】
本発明によると、蓄電システムは、商用系統電源から供給された電力を蓄積する蓄電要素と、商用系統電源および蓄電要素のうちの少なくとも一方から電力が供給され、かつ商用系統電源が停電したときは蓄電要素から電力が供給される、電力供給を個別に制御可能な、停電時に電力供給が可能な出力部である複数の重要負荷出力部と、商用系統電源および蓄電要素のうちの少なくとも一方から各重要負荷出力部への電力の供給を個別に制御する制御部とを備えるため、商用系統電源が停電した場合において重要度が高い機器の使用可能時間を長くすることが可能となる。
【図面の簡単な説明】
【００１０】
【図１】本発明の実施の形態による蓄電システムの構成の一例を示すブロック図である。
【図２】本発明の実施の形態による蓄電システムにおけるソフトウェア機能に対応するハードウェア構成の一例を示す図である。
【図３】本発明の実施の形態による蓄電システムの動作の一例を示すフローチャートである。
【図４】本発明の実施の形態による蓄電システムにおける通常時の充電に係る動作の一例を説明するための図である。
【図５】本発明の実施の形態による蓄電システムにおける通常時の充電に係る各開閉器の開閉状態を示す図である。
【図６】本発明の実施の形態による蓄電システムにおける通常時の放電に係る動作の一例を説明するための図である。
【図７】本発明の実施の形態による蓄電システムにおける通常時の放電に係る各開閉器の開閉状態を示す図である。
【図８】本発明の実施の形態による蓄電システムにおける停電時に蓄電残量が十分ある場合の放電に係る動作の一例を説明するための図である。
【図９】本発明の実施の形態による蓄電システムにおける停電時に蓄電残量が十分ある場合の放電に係る各開閉器の開閉状態を示す図である。
【図１０】本発明の実施の形態による蓄電システムにおける停電時に蓄電残量が減少した場合の放電に係る動作の一例を説明するための図である。
【図１１】本発明の実施の形態による蓄電システムにおける停電時に蓄電残量が減少した場合の放電に係る各開閉器の開閉状態を示す図である。
【図１２】本発明の実施の形態による表示部における表示の一例を示す図である。
【発明を実施するための形態】
【００１１】
本発明の実施の形態について、図面に基づいて以下に説明する。
【００１２】
＜実施の形態＞
まず、本発明の実施の形態による蓄電システムの構成について説明する。
【００１３】
図１は、本実施の形態による蓄電システムの構成の一例を示すブロック図である。
【００１４】
図１に示すように、本実施の形態による蓄電システムは、商用系統電源１と、蓄電要素２と、一般負荷３と、重要負荷４〜６と、パワーコンディショナ７と、蓄電残量検出部８と、表示部９と、ユーザー設定部１０とを備えている。
【００１５】
蓄電要素２は、直流電力を充電（蓄積）し、蓄積した直流電力を放電する。
【００１６】
一般負荷３は、商用系統電源１およびパワーコンディショナ７の系統入出力部１１に接続されている。また、上述の通り、一般負荷３には、通常時のみに電力の供給が必要な（すなわち、商用系統電源１が停電した場合に電力の供給が不要な）電気機器が接続されている。
【００１７】
重要負荷４〜６は、パワーコンディショナ７の重要負荷出力部１８〜２０の各々に接続されている。また、上述の通り、重要負荷４〜６の各々には、商用系統電源１が停電などの非常時にも電力の供給が必要な電気機器が接続されている。
【００１８】
蓄電残量検出部８は、蓄電要素２に充電されている電力の残量（蓄電残量）を検出する。表示部９は、蓄電システムにおける種々の情報（例えば、図１２参照）を表示する（詳細は、後述する）。なお、表示部９は、例えばタッチパネルと一体であってもよい。ユーザー設定部１０は、停電時における各重要負荷４〜６に対する電力の供給に関する設定を行う（詳細は、後述する）。なお、表示部９がタッチパネルと一体の場合は、表示部９がユーザー設定部１０の機能を有してもよい。
【００１９】
パワーコンディショナ７は、系統入出力部１１と、連系用開閉器１２と、電力変換器１３と、バイパス入力部１４と、バイパス用開閉器１５〜１７と、重要負荷出力部１８〜２０と、重要負荷用開閉器２１〜２３と、電流検出器２４〜２６と、制御部２７とを備えている。
【００２０】
系統入出力部１１は、商用系統電源１に接続されており、充電時に商用系統電源１から交流電力を入力する。また、系統入出力部１１は、一般負荷３にも接続されており、放電時に蓄電要素２に充電された電力を一般負荷３に出力する。なお、系統入出力部１１は、ハードウェアのインターフェースである。
【００２１】
連系用開閉器１２は、商用系統電源１と蓄電要素２との間の経路を開閉する。具体的には、連系用開閉器１２は、一方が系統入出力部１１に接続され、他方が電力変換器１３に接続されている。
【００２２】
電力変換器１３は、充電時において、商用系統電源１からの交流電力を、蓄電要素２が充電可能な直流電力に変換する。また、電力変換器１３は、放電時において、蓄電要素２に充電された直流電力を、一般負荷３および重要負荷４〜６の各々に接続されている電気機器に供給可能な交流電力に変換する。
【００２３】
バイパス入力部１４は、商用系統電源１に接続されており、充電時に商用系統電源１から交流電力を入力する。また、バイパス入力部１４は、系統入出力部１１にも接続されており、放電時に蓄電要素２に充電された電力を入力する。なお、バイパス入力部１４は、ハードウェアのインターフェースである。
【００２４】
バイパス用開閉器１５〜１７は、バイパス入力部１４と重要負荷出力部１８〜２０との間に設けられており、バイパス入力部１４と重要負荷出力部１８〜２０との間の経路を開閉する。具体的には、バイパス用開閉器１５は、一方がバイパス入力部１４に接続され、他方が重要負荷出力部１８に接続されている。バイパス用開閉器１６は、一方がバイパス入力部１４に接続され、他方が重要負荷出力部１９に接続されている。バイパス用開閉器１７は、一方がバイパス入力部１４に接続され、他方が重要負荷出力部２０に接続されている。
【００２５】
重要負荷出力部１８〜２０は、バイパス用開閉器１５〜１７および電流検出器２４〜２６と、重要負荷部４〜６との間に設けられており、商用系統電源１および蓄電要素２のうちの少なくとも一方からの電力を重要負荷４〜６に出力する。具体的には、重要負荷出力部１８は、一方がバイパス用開閉器１５および電流検出器２４に接続され、他方が重要負荷４に接続されている。重要負荷出力部１９は、一方がバイパス用開閉器１６および電流検出器２５に接続され、他方が重要負荷５に接続されている。重要負荷出力部２０は、一方がバイパス用開閉器１７および電流検出器２６に接続され、他方が重要負荷６に接続されている。なお、重要負荷出力部１８〜２０は、ハードウェアのインターフェースである。
【００２６】
重要負荷用開閉器２１〜２３は、蓄電要素２と重要負荷４〜６との間の経路を開閉する。具体的には、重要負荷用開閉器２１は、一方が電力変換器１３に接続され、他方が電流検出器２４に接続されている。重要負荷用開閉器２２は、一方が電力変換器１３に接続され、他方が電流検出器２５に接続されている。重要負荷用開閉器２３は、一方が電力変換器１３に接続され、他方が電流検出器２６に接続されている。
【００２７】
電流検出器２４〜２６は、蓄電要素２から重要負荷４〜６（重要負荷出力部１８〜２０）に流れる交流電流を検出する。具体的には、電流検出器２４は、重要負荷用開閉器２１と重要負荷出力部１８との間に設けられている。電流検出器２５は、重要負荷用開閉器２２と重要負荷出力部１９との間に設けられている。電流検出器２６は、重要負荷用開閉器２３と重要負荷出力部２０との間に設けられている。
【００２８】
制御部２７は、商用系統電源１から蓄電要素２への電力の充電を制御する。また、制御部２７は、商用系統電源１および蓄電要素２から一般負荷３および重要負荷４〜６（重要負荷出力部１８〜２０）への電力の供給を個別に制御する。
【００２９】
図２は、図１に示す蓄電システムにおけるソフトウェア機能に対応するハードウェア構成の一例を示す図である。
【００３０】
ユーザー設定部１０および制御部２７は、例えば図２のプロセッサ２８がメモリ２９等に記憶されたプログラムを実行することにより、当該プロセッサ２８の機能として実現される。ただし、これらは、例えば複数のプロセッサ２８が連携して実現されてもよい。
【００３１】
次に、図１に示す蓄電システムの動作について説明する。
【００３２】
まず、蓄電システムの全体的な動作について説明する。
【００３３】
図３は、蓄電システムの動作の一例を示すフローチャートである。
【００３４】
ステップＳ１１において、制御部２７は、商用系統電源１が停電したか否かの判断を行う。具体的には、制御部２７は、商用系統電源１から系統入出力部１１に電力が供給されている場合は商用系統電源１が停電していないと判断し、商用系統電源１から系統入出力部１１に電力が供給されていない場合は商用系統電源１が停電していると判断する。商用系統電源１が停電していない場合は、ステップＳ１２に移行する。一方、商用系統電源１が停電している場合は、ステップＳ１７に移行する。
【００３５】
ステップＳ１２において、制御部２７は、商用系統電源１から供給された電力を蓄電要素２に充電するか否かの判断を行う。具体的には、制御部２７は、蓄電残量検出部８にて検出された蓄電要素２の蓄電残量に基づいて、蓄電要素２が満充電である場合は蓄電要素２に充電しないと判断し、蓄電要素２が満充電でない場合は蓄電要素２に充電すると判断する。なお、制御部２７は、蓄電要素２が満充電でなく、かつ電気料金が安価な夜間の時間帯に蓄電要素２に充電すると判断してもよい。さらに、制御部２７は、蓄電要素２が満充電でなく、かつユーザーの操作によって充電の選択がなされたときに充電すると判断してもよい。蓄電要素２に充電する場合は、ステップＳ１３に移行する。一方、蓄電要素２に充電しない場合は、ステップＳ１４に移行する。
【００３６】
ステップＳ１３において、制御部２７は、商用系統電源１から供給された電力を蓄電要素２に充電するように制御する。また、制御部２７は、商用系統電源１から一般負荷３および重要負荷４〜６に電力が供給されるように制御する。
【００３７】
ステップＳ１４において、制御部２７は、蓄電要素２から充電した電力を放電するか否かの判断を行う。具体的には、制御部２７は、蓄電残量検出部８にて検出された蓄電要素２の蓄電残量に基づいて、蓄電要素２に蓄電残量があり、かつユーザーの操作によって放電の選択がなされたときに放電すると判断する。なお、制御部２７は、蓄電要素２に蓄電残量があり、かつ電気料金が通常である昼間の時間帯に蓄電要素２から放電すると判断してもよい。蓄電要素２から放電する場合は、ステップＳ１５に移行する。一方、蓄電要素２から放電しない場合は、ステップＳ１６に移行する。
【００３８】
ステップＳ１５において、制御部２７は、蓄電要素２から一般負荷３および重要負荷４〜６に電力が供給されるように制御する。
【００３９】
ステップＳ１６において、制御部２７は、商用系統電源１から一般負荷３および重要負荷４〜６に電力が供給されるように制御する。
【００４０】
ステップＳ１７において、制御部２７は、蓄電要素２の蓄電残量が十分にあるか否かの判断を行う。具体的には、制御部２７は、蓄電残量検出部８にて検出された蓄電要素２の蓄電残量に基づいて、蓄電要素２の蓄電残量が十分にあるか否かの判断を行う。なお、蓄電残量が、予め定められた蓄電要素２の蓄電残量の割合以上である場合は蓄電残量が十分にあると判断し、予め定められた蓄電要素２の蓄電残量の割合未満である場合は蓄電残量が十分にないと判断してもよい（予め定めた蓄電要素２の蓄電残量の割合については後述する）。蓄電要素２の蓄電残量が十分にある場合は、ステップＳ１８に移行する。一方、蓄電要素２の蓄電残量が十分にない場合は、ステップＳ１９に移行する。
【００４１】
ステップＳ１８において、制御部２７は、蓄電要素２から全ての重要負荷４〜６に電力が供給されるように制御する。このとき、制御部２７は、蓄電要素２から一般負荷に電力が供給されないように制御する。
【００４２】
ステップＳ１９において、制御部２７は、予め定められた電力供給条件に基づいて、蓄電要素２から重要負荷４〜６に電力が供給されるように制御する（予め定めた電力供給条件については後述する）。このとき、制御部２７は、蓄電要素２から一般負荷に電力が供給されないように制御する。
【００４３】
次に、図３に示す各動作の詳細について説明する。
【００４４】
まず、通常の充電に係る動作について、図４を用いて説明する。なお、図４において、太線矢印は電力の流れを示している。
【００４５】
制御部２７は、連系用開閉器１２およびバイパス用開閉器１５〜１７が閉状態となるように制御し、重要負荷用開閉器２１〜２３が開状態となるように制御する。図５は、各開閉器の開閉状態を示している。
【００４６】
商用系統電源１からの交流電力は、一般負荷３に供給されるとともに、系統入出力部１１およびバイパス入力部１４に入力される。バイパス入力部１４に入力された交流電力は、バイパス用開閉器１５〜１７および重要負荷出力部１８〜２０を経由して重要負荷４〜６に供給される。
【００４７】
一方、系統入出力部１１に入力された交流電力は、連系用開閉器１２を経由して電力変換器１３に入力される。電力変換器１３は、入力された交流電力を直流電力に変換した後、当該直流電力を蓄電要素２に供給する。蓄電要素２は、制御部２７の制御によって、電力変換器１３から供給された直流電力を満充電になるまで充電する。
【００４８】
蓄電残量検出部８は、蓄電要素２の蓄電残量を検出する。表示部９は、蓄電残量検出部８にて検出された蓄電残量を表示する。
【００４９】
上記より、通常の充電時において、商用系統電源１からの交流電力は、一般負荷３および重要負荷４〜６の全てに常に供給される。
【００５０】
次に、通常の放電に係る動作について、図６を用いて説明する。なお、図６において、太線矢印は電力の流れを示している。
【００５１】
制御部２７は、連系用開閉器１２およびバイパス用開閉器１５〜１７が閉状態となるように制御し、重要負荷用開閉器２１〜２３が開状態となるように制御する。図７は、各開閉器の開閉状態を示している。
【００５２】
蓄電要素２は、制御部２７の制御によって、充電した直流電力を放電し、当該放電した直流電力を電力変換器１３に入力する。電力変換器１３は、入力された直流電力を交流電力に変換する。電力変換器１３にて変換された交流電力は、連系用開閉器１２および系統入出力部１１を経由し、一方は一般負荷３に供給され、他方はバイパス入力部１４に入力される。バイパス入力部１４に入力された交流電力は、バイパス用開閉器１５〜１７および重要負荷出力部１８〜２０を経由して重要負荷４〜６に供給される。
【００５３】
蓄電残量検出部８は、蓄電要素２の蓄電残量を検出する。表示部９は、蓄電残量検出部８にて検出された蓄電残量を表示する。
【００５４】
蓄電要素２の蓄電残量が予め定められた放電限界残量に達した場合において、蓄電システムの放電動作は停止する。ここで、放電限界残量とは、蓄電要素２が放電に必要な蓄電残量の限界（蓄電残量の下限値）のことをいう。放電動作が停止した場合は、商用系統電源１から一般負荷３および重要負荷４〜６に対して電力が供給される。このとき、蓄電要素２は、充電を行ってもよい（図４参照）。また、一般負荷３および重要負荷４〜６における負荷の和が、蓄電システムの放電定格電力値を超えた場合は、一般負荷３および重要負荷４〜６にて不足分の電力が商用系統電源１から供給される。これらの動作の制御は、制御部２７が行う。
【００５５】
上記より、通常の放電時において、一般負荷３および重要負荷４〜６は、蓄電要素２および商用系統電源１のうちの少なくとも一方から電力が常に供給される。
【００５６】
次に、停電時に蓄電要素２の蓄電残量が十分ある場合における放電に係る動作について、図８を用いて説明する。なお、図８において、太線矢印は電力の流れを示している。
【００５７】
商用系統電源１が停電すると、当該商用系統電源１からは交流電力が発生しない。制御部２７は、重要負荷用開閉器２１〜２３が閉状態となるように制御し、連系用開閉器１２およびバイパス用開閉器１５〜１７が開状態となるように制御する。図９は、各開閉器の開閉状態を示している。
【００５８】
蓄電要素２は、制御部２７の制御によって、充電した直流電力を放電し、当該放電した直流電力を電力変換器１３に入力する。電力変換器１３は、入力された直流電力を交流電力に変換する。電力変換器１３にて変換された交流電力は、重要負荷用開閉器２１〜２３および重要負荷出力部１８〜２０を経由し、重要負荷４〜６に供給される。このとき、一般負荷３には、蓄電要素２からの電力は供給されない。すなわち、重要負荷出力部１８〜２０は、停電時に電力供給が可能な出力部である。
【００５９】
電流検出器２４〜２６は、重要負荷４〜６に流れる電流をそれぞれ検出する。具体的には、電流検出器２４は、蓄電要素２から重要負荷４に流れる電流を検出する。電流検出器２５は、蓄電要素２から重要負荷５に流れる電流を検出する。電流検出器２６は、蓄電要素２から重要負荷６に流れる電流を検出する。
【００６０】
制御部２７は、各電流検出器２４〜２６で検出された電流の値に基づいて、各重要負荷４〜５にて消費されている電力量を算出する。そして、各重要負荷４〜６にて消費されている電力量に対して、蓄電要素２の蓄電残量が十分ある場合は、各重要負荷４〜６に対して必要な電力の全てを供給する。
【００６１】
次に、停電時に蓄電要素２の蓄電残量が減少した場合における放電に係る動作について、図１０を用いて説明する。なお、図１０において、太線矢印は電力の流れを示している。
【００６２】
制御部２７は、蓄電残量検出部８にて検出される蓄電要素２の蓄電残量を常に監視している。
【００６３】
ユーザーは、ユーザー設定部１０において、各重要負荷４〜６に対する電力供給条件を予め設定することができる。例えば、蓄電要素２の蓄電残量が５０％を下回った場合は、重要負荷４，５のみに電力を供給して重要負荷６には電力を供給しないとする電力供給条件を設定することができる。また、蓄電要素２の蓄電残量が３０％を下回った場合は、重要負荷４のみに電力を供給して重要負荷５，６には電力を供給しないといった電力供給条件を設定することができる。ここで、蓄電要素２の蓄電残量の割合（％）は、蓄電要素２の満充電を１００％（すなわち、蓄電残量が１００％）としたときの、現在の蓄電残量の割合のことをいう。
【００６４】
図１０の例では、ユーザーがユーザー設定部１０において「蓄電要素２の蓄電残量が３０％を下回った場合は、重要負荷４のみに電力を供給して重要負荷５，６には電力を供給しない」と設定した場合に、蓄電要素２の蓄電残量が３０％を下回った時の蓄電システムの動作状態を示している。
【００６５】
図１０に示すように、制御部２７は、重要負荷用開閉器２１が閉状態となるように制御し、連系用開閉器１２、バイパス用開閉器１５〜１７、および重要負荷用開閉器２２，２３が開状態となるように制御する。図１１は、各開閉器の開閉状態を示している。
【００６６】
このように、制御部２７は、蓄電残量検出部８にて検出された蓄電残量と、予め定められた電力供給条件とに基づいて、各重要負荷出力部１８〜２０への電力の供給を個別に制御する。また、予め定められる電力供給条件は、各重要負荷出力部１８〜２０に接続されるべき各重要負荷４〜６ごとに予め設定された、蓄電要素２に蓄積されている蓄電残量の閾値である。
【００６７】
次に、表示部９における表示について説明する。
【００６８】
図１２は、停電時における表示部９の表示の一例を示す図である。
【００６９】
図１２に示すように、「現在の蓄電残量」は、蓄電残量検出部８にて検出された蓄電要素２の現在の蓄電残量の割合（％）を示している。図１２の例では、現在の蓄電残量が４５％であることが示されている。
【００７０】
「重要負荷切換」は、各重要負荷４〜６に対する電力の供給を、ユーザー設定部１０においてユーザーが設定した「供給設定（詳細は後述する）」に基づいて制御部２７が自動で切り換えるか、または、ユーザーの選択操作（手動）によって切り換えるかの設定を示している。図１２の例では、切り換えが自動である旨が示されている。
【００７１】
「重要負荷状況」は、各重要負荷４〜６について、「供給設定」、「現在の状態」、「現在の電力使用量」、「残り時間（目安）」を示している。
【００７２】
「供給設定」は、「重要負荷切換」が「自動」である場合は、ユーザーがユーザー設定部１０において設定した各重要負荷４〜６に対する電力供給条件を示している。図１２の例では、重要負荷４には蓄電要素２の蓄電残量に関わらず常に電力を供給するように設定されている旨が示されている。重要負荷５には、蓄電要素２の蓄電残量が３０％を下回るまでは電力を供給するように設定されている旨が示されている。重要負荷６には、蓄電要素２の蓄電残量が５０％を下回るまでは電力を供給するように設定されている旨が示されている。
【００７３】
なお、「重要負荷切換」が「手動」である場合は、「供給設定」では、ユーザーが各重要負荷４〜６に対して電力を供給するか、電力を供給しないかの設定が示される。例えば、電力を供給する各重要負荷４〜６については「入」と示され、電力を供給しない各重要負荷４〜６については「切」と示される。すなわち、制御部２７は、ユーザー設定部１０（操作部）よりユーザーが選択した少なくとも１つ以上の重要負荷４〜６（重要負荷出力部１８〜２０）への電力の供給を制御する。
【００７４】
このように、制御部２７は、各重要負荷４〜６（各重要負荷出力部１８〜２０）への電力の供給を自動または手動で行うかの切り換えが可能である。
【００７５】
「現在の状態」は、各重要負荷４〜６に対して、現在電力が供給中であるか遮断中であるかを示している。図１２の例では、重要負荷４，５に対しては電力が「供給中」であり、重要負荷６に対しては電力が「遮断中」である（電力が供給されていない）旨が示されている。ここで、重要負荷６について「供給設定」が「５０％まで」と設定されているところ、「現在の蓄電残量」が「４５％」であるため、重要負荷６に対する電力の供給は既に遮断中となっている。
【００７６】
「現在の電力使用量」は、各電流検出器２４〜２６にて検出された電流の値に基づいて、各重要負荷４〜６において現在使用している電力量を示している。図１２の例では、重要負荷４において現在使用している電力量は「１００Ｗ」である旨が示されている。重要負荷５において現在使用している電力量は「５００Ｗ」である旨が示されている。重要負荷６において現在使用している電力量は「０Ｗ」である旨が示されている（重要負荷６に対して電力が供給されていないため）。なお、各重要負荷４〜６において現在使用している電力量は、制御部２７にて算出される。
【００７７】
「残り時間（目安）」は、「現在の蓄電残量」、「供給設定」、および「現在の電力使用量」に基づいて、蓄電要素２から各重要負荷４〜６に電力を供給することが可能な時間（供給可能時間）の目安を示している。図１２の例では、重要負荷４に電力を供給することが可能な時間は「２２．８時間」である旨が示されている。重要負荷５に電力を供給することが可能な時間は「１．９時間」である旨が示されている。重要負荷６に電力を供給することが可能な時間は「０時間」である旨が示されている（重要負荷６に対して電力が供給されていないため）。なお、各重要負荷４〜６に電力を供給することが可能な時間は、制御部２７にて算出される。すなわち、制御部２７は、電流検出器２４〜２６にて検出された電流の値と、蓄電残量検出部８にて検出された蓄電残量と、予め定められた電力供給条件とに基づいて、蓄電要素２から各重要負荷４〜６（各重要負荷出力部１８〜２０）に電力を供給することが可能な時間である電力供給可能時間を算出する。
【００７８】
以上のことから、本実施の形態によれば、蓄電システムは、各重要負荷４〜６に対する電力供給条件を予め設定することによって、各重要負荷４〜６に対する電力の供給を個別に制御している。従って、商用系統電源１が停電した場合において、各重要負荷４〜６が一斉に使用不可とならず、できるだけ長時間使用したい機器（停電時における使用の重要度が高い機器）の使用可能時間を長くすることが可能となる。
【００７９】
なお、図１，４，６，８，１０において、ユーザー設定部１０および制御部２７の各々は、図２のプロセッサ２８がメモリ２９に記憶されたソフトウェアプログラムに従って動作することにより実現された。しかし、これに代えて、ユーザー設定部１０および制御部２７の各々は、ハードウェア（例えば、電気信号に対して特定の演算あるいは処理を行うように構成された演算／処理回路等）として構成するようにしてもよい。また、上記の両者を混在させてもよい。
【００８０】
また、ソフトウェアのユーザー設定部１０および制御部２７の各々と、ハードウェアのユーザー設定部１０および制御部２７の各々とを組み合わせた概念として、「部」という語に代えて「処理回路」という語を用いることもできる。
【００８１】
上記では、重要負荷が３系列（重要負荷４〜６）存在する場合について説明したが、これに限るものでない。例えば、重要負荷が２系列または４系列以上存在してもよく、重要負荷の系列数が多くなるに従って、各重要負荷に対する電力条件をより細かく設定することができる。
【００８２】
図１２では、表示部９における表示の一例を示しているが、これに限るものではなく、図１２に示す内容が表示されれば如何なる表示の形態であってもよい。
【００８３】
なお、本発明は、その発明の範囲内において、実施の形態を適宜、変形、省略することが可能である。
【符号の説明】
【００８４】
１  商用系統電源、２  蓄電要素、３  一般負荷、４〜６  重要負荷、７  パワーコンディショナ、８  蓄電残量検出部、９  表示部、１０  ユーザー設定部、１１  系統入出力部、１２  連系用開閉器、１３  電力変換器、１４  バイパス入力部、１５〜１７  バイパス用開閉器、１８〜２０  重要負荷出力部、２１〜２３  重要負荷用開閉器、２４〜２６  電流検出器、２７  制御部、２８  プロセッサ、２９  メモリ。
【図１】
2016163422.tif 000003
【図２】
2016163422.tif 000004
【図３】
2016163422.tif 000005
【図４】
2016163422.tif 000006
【図５】
2016163422.tif 000007
【図６】
2016163422.tif 000008
【図７】
2016163422.tif 000009
【図８】
2016163422.tif 000010
【図９】
2016163422.tif 000011
【図１０】
2016163422.tif 000012
【図１１】
2016163422.tif 000013
【図１２】
2016163422.tif 000014